(57)【要約】【課題】簡易な構成で、バルブブロックに設けられるバルブのアクチュエータを作業者が安全に着脱及び運搬できるバルブアクチュエータ運搬治具を提供する。【解決手段】複数のバルブ２が互いに組み合わされて配管されているバルブブロック３からバルブ２の上部に設けられたアクチュエータ４の着脱及び運搬をするためのバルブアクチュエータ運搬治具１であって、アクチュエータ４に取り付けるための開閉部１１ａを有し、アクチュエータ４の外周面４ａを保持する保持部１１と、保持部１１から下方に延びてアクチュエータ４の下面４ｂを支持する支持部１２と、保持部１１に設けられ、互いに対向して位置する一対の取手部１３と、を備えた。【選択図】図１
2010149999.tif 000002
【特許請求の範囲】
【請求項１】
複数のバルブが互いに組み合わされて配管されているバルブブロックから前記バルブの上部に設けられたアクチュエータの着脱及び運搬をするためのバルブアクチュエータ運搬治具であって、
前記アクチュエータに取り付けるための開閉部を有し、前記アクチュエータの外周面を保持する保持部と、
前記保持部から下方に延びて前記アクチュエータの下面を支持する支持部と、
前記保持部に設けられ、互いに対向して位置する一対の取手部と、
を備えたことを特徴とするバルブアクチュエータ運搬治具。
【請求項２】
前記アクチュエータの外周面と接触する前記保持部の内周面には、保護部材が設けられていることを特徴とする請求項１に記載のバルブアクチュエータ運搬治具。
【請求項３】
前記開閉部には、前記アクチュエータの外周面に前記保持部を固定するロック機構が設けられていることを特徴とする請求項１又は２に記載のバルブアクチュエータ運搬治具。
【請求項４】
前記ロック機構には、前記保持部の内径を調節する調節手段が設けられていることを特徴とする請求項３に記載のバルブアクチュエータ運搬治具。
【発明の詳細な説明】
【技術分野】
【０００１】
本発明は、複数のバルブが互いに組み合わされて配管されたバルブブロックからバルブのアクチュエータを取り出して運搬する際に使用するバルブアクチュエータ運搬治具に関する。
【背景技術】
【０００２】
持ち手を有していないために扱いにくい物品を運搬するための治具として、例えば、ガス容器のバルブ部を保護するプロテクターに取手を設けたバルブプロテクター（特許文献１参照。）や、坩堝に把持部を取り付ける運搬用治具（特許文献２参照。）が知られている。
【特許文献１】特開２００２−６１７９９号公報
【特許文献２】特開平９−２０８０２０号公報
【発明の開示】
【発明が解決しようとする課題】
【０００３】
複数のバルブが互いに組み合わされて配管されたバルブブロックからバルブのアクチュエータを取り出す際、各バルブが密集して配管されているため配管の上方に足元が位置し、作業者はしゃがんでからバルブを持ち上げるようにして取り出している。バルブのアクチュエータは重く、このような状態で重量物を持ち上げると腰痛の危険も生じ、また、持ち手ではないところを掴むために怪我のおそれもある。上述した特許文献１のプロテクターでは構成部品が多く取り扱いが複雑となるし、特許文献２の治具では底面が支持されていないため重量物を扱うには不向きである。
【０００４】
そこで、本発明は簡易な構成で、バルブブロックに設けられるバルブのアクチュエータを作業者が安全に着脱及び運搬できるバルブアクチュエータ運搬治具を提供することを目的とする。
【課題を解決するための手段】
【０００５】
本発明のバルブアクチュエータ運搬治具は、複数のバルブ（２）が互いに組み合わされて配管されているバルブブロック（３）から前記バルブの上部に設けられたアクチュエータ（４）の着脱及び運搬をするためのバルブアクチュエータ運搬治具（１）であって、前記アクチュエータに取り付けるための開閉部（１１ａ）を有し、前記アクチュエータの外周面（４ａ）を保持する保持部（１１）と、前記保持部から下方に延びて前記アクチュエータの下面（４ｂ）を支持する支持部（１２）と、前記保持部に設けられ、互いに対向して位置する一対の取手部（１３）と、を備えたことにより上記課題を解決する。
【０００６】
本発明のバルブアクチュエータ運搬治具によれば、バルブブロックに設けられるバルブのアクチュエータの下面を支持部で支持しつつ保持部で外周面を保持することにより、アクチュエータにバルブアクチュエータ運搬治具が固定される。一対の取手部が保持部に設けられているのでそれぞれの持ち手を別々の作業者が掴むことができ、二人の作業者でアクチュエータを持ち上げて運搬することができる。従って、個々の作業者への負担を軽減でき、専用の持ち手も有するので、怪我のおそれがなく安全にアクチュエータの着脱及び運搬をすることができる。
【０００７】
本発明のバルブアクチュエータ運搬治具の一形態において、前記アクチュエータの外周面と接触する前記保持部の内周面には、保護部材（１５）が設けられていてもよい。この形態によれば、保持部の内周面に保護部材が設けられているので、取り付けられるアクチュエータの外周面との間に滑り止め効果を奏する。さらに、運搬治具の取付け時に外周面の破損を防止することができる。
【０００８】
本発明のバルブアクチュエータ運搬治具の一形態において、前記開閉部には、前記アクチュエータの外周面に前記保持部を固定するロック機構（１４）が設けられていてもよい。この形態によれば、保持部を確実にアクチュエータに固定することができ、作業者が安全にアクチュエータの着脱及び運搬をすることができる。
【０００９】
ロック機構が設けられている形態において、前記ロック機構には、前記保持部の内径を調節する調節手段が設けられていてもよい。この形態によれば、保持部の内径を調節することにより、大きさの異なるアクチュエータにも対応することができる。また、調節手段により保持部をアクチュエータに確固に取り付けることができる。
【００１０】
なお、以上の説明では本発明の理解を容易にするために添付図面の参照符号を括弧書きにて付記したが、それにより本発明が図示の形態に限定されるものではない。
【発明の効果】
【００１１】
以上、説明したように、本発明のバルブアクチュエータ運搬治具においては、バルブブロックに設けられるバルブのアクチュエータの下面を支持部で支持しつつ保持部で外周面を保持することにより、アクチュエータにバルブアクチュエータ運搬治具が固定される。一対の取手部が保持部に設けられているのでそれぞれの持ち手を別々の作業者が掴むことができ、二人の作業者でアクチュエータを持ち上げて運搬することができる。従って、個々の作業者への負担を軽減でき、専用の持ち手も有するので、怪我のおそれがなく安全にアクチュエータの着脱及び運搬をすることができる。
【発明を実施するための最良の形態】
【００１２】
図１は本発明の一形態に係るバルブアクチュエータ運搬治具の全体図である。バルブアクチュエータ運搬治具１（以下、運搬治具１と略記する。）は、複数のバルブ２が互いに組み合わされて配管されているバルブブロック３（図３参照のこと。）からバルブ２のアクチュエータ４を着脱及び運搬するための治具である。本形態では、バルブ２としてミックスプルーフバルブが用いられている。運搬治具１は、アクチュエータ４の外周面４ａを保持する保持部１１と、アクチュエータ４の下面４ｂを支持する支持部１２と、保持部１１に取り付けられた取手部１３とを備えている。保持部１１は、金属製で、一部が切断されたリング状に形成され、その切断された開閉部１１ａには、保持部１１を締め付けて固定するロック機構１４が設けられている。開閉部１１ａを利用して保持部１１の内径を広げることができる。保持部１１は、取手部１３及びロック機構１４が設けられる程度の適度な幅を有する。保持部１１の内周面は、シート状の保護部材としてのゴム部材１５で覆われている。これにより、取り付けられる外周面４ａとの滑り止めの効果を奏し、さらに、保持部１１によるアクチュエータ４の破損を防止する。なお、材料はゴムに限られず、各種弾性材料や樹脂等であってもよい。
【００１３】
図２にロック機構１４の拡大図を示す。ロック機構１４は、開閉部１１ａによって分けられた保持部１１の両側に設けられ、一端側には、保持部１１を外周面４ａに固定した状態の開閉部１１ａの幅を調整可能な調整ねじ２１を有するフック２２と、調整ねじ２１がねじ込まれたナット２３が回動可能に設けられた操作部２４と、保持部１１を閉じた状態の操作部２４を固定するピン２５及びピン受け部２６とが設けられ、他端側には、フック２２を引っ掛ける凸部２７が設けられている。調整ねじ２１を調節してフック２２の長さを調整することで直径の異なるアクチュエータ４にも取付け可能となる。調整ねじ２１及びナット２３が調節手段として機能する。操作部２４は、保持部１１に設けられる軸２８を中心に回動して、凸部２７側へ近付くとフック２２の解除を、遠ざかる方向へ倒すとフック２２の固定を行う。ピン２５は、保持部１１に設けられたピン受け部２６に差し込み可能で、フック２２の固定する位置にある操作部２４を固定してロックする。ピン２５は紛失しないように取手部１３にチェーン等でつながれている。このようなロック機構１４は、周知技術を利用して構成してもよい。
【００１４】
支持部１２は、開閉部１１ａの対向に設けられ、上端が保持部１１に固定された板状のＬ字形状の部材である。保持部１１の中心側へ曲げられた支持面１２ａがアクチュエータ４の下面４ｂを支持する。取手部１３は一対の持ち手１３ａ、１３ｂを有し、保持部１１のそれぞれ対向する位置に設けられる。持ち手１３ａ、１３ｂは、端部が保持部１１に取り付けられたコの字型で、作業者が二人で持ち手１３ａ、１３ｂをそれぞれつかめる程度に外側にせり出している。なお、本形態では、開閉部１１ａ、支持部１２及び持ち手１３ａ、１３ｂは、保持部１１の四方に設けられているが、互いに干渉しない程度に設ける位置を適宜調整してよい。支持部１２及び取手部１３は、金属で形成され、保持部１１に対して溶接されて取り付けられている。持ち手１３ａ、１３ｂの掴み部を樹脂やゴム等で覆ってもよい。
【００１５】
運搬治具１の使用方法を説明する。運搬治具１の運搬対象となるバルブ２のアクチュエータ４は、バルブブロック３に組み込まれている。バルブブロック３は、図３に示すように複数のバルブ２が密に連なって構成されており、作業者の足場５は配管の上方に組まれている。このため、バルブ２に関する作業をする場合は、作業者はしゃがんだ姿勢で作業することになる。まずは、運搬治具１の取付手順を説明する。アクチュエータ４は、バルブ２の上部に設けられている。運搬治具１のロック機構１４を外し、アクチュエータ４の上方から支持部１１を広げながら支持部１１のリング内にアクチュエータ４をくぐらせる。支持部１２の支持面１２ａをアクチュエータ４の下面４ｂに引っ掛けたことを確認して、調整ねじ２１を調整しつつ保持部１１のロック機構１４をロックする。図４にアクチュエータ４に支持部１２が取り付けられている様子を示す。このように、支持部１２の支持面１２ａがアクチュエータ４を支えているので、アクチュエータ４の運搬治具１からの抜け落ちを防止することができる。ロック機構１３には、調整ねじ２１による保持部１１の調節機能が設けられているので、直径の異なるアクチュエータ４Ｓ、４Ｌ（図３参照。）にも対応することができる。
【００１６】
運搬治具１の取付け後、運搬する際には、取手部１３の持ち手１３ａ、１３ｂのそれぞれをひとつずつ作業者が掴むことにより、二名の作業者でアクチュエータ４を運搬できる。取手部１３は、二人で取り扱えるよう十分なゆとりを持って設けられているため、作業者同士の動作が干渉されることなくアクチュエータ４を運搬することができる。運搬治具１の取り外しは、逆の手順で行われる。
【００１７】
本発明は、上述した形態に限定されることなく、種々の形態にて実施することができる。例えば、本形態では、足場５よりも下方で配管されているためしゃがんだ状態で作業者が運搬治具１をアクチュエータ４に取り付ける例で説明したが、これに限られない。作業台等に置かれたアクチュエータ４に取り付ける等、どのような状態であっても簡便に取り付けることができる。また、支持部１２は、ひとつの支持部１２が設けられた形態で説明したが、これに限られず、例えば、複数の支持部１２が所定の間隔で設けられていてもよい。アクチュエータ４の重量や形状に応じて設ける形状や位置等を調整してもよい。
【図面の簡単な説明】
【００１８】
【図１】本発明の一形態に係るバルブアクチュエータ運搬治具の全体図。
【図２】ロック機構の拡大図。
【図３】バルブブロックを説明する図。
【図４】アクチュエータに支持部が取り付けられている様子を示す図。
【符号の説明】
【００１９】
１  バルブアクチュエータ運搬治具
２  バルブ
３  バルブブロック
４  アクチュエータ
４ａ  外周面
４ｂ  下面
１１  保持部
１１ａ  開閉部
１２  支持部
１３  取手部
【図１】
2010149999.tif 000003
【図２】
2010149999.tif 000004
【図３】
2010149999.tif 000005
【図４】
2010149999.tif 000006